(57)【要約】【課題】赤系レーザ光と青系レーザ光の双方を発生させ処理する光ディスク装置の三波長型光ピックアップにおいて、光ディスク装置とのインタフェースとなる端子数を低減する方法が望まれる。【解決手段】光ディスク装置に電源投入する際、或いはリセットされた際に光ピックアップが所定の初期位置に位置するか否かを検出するＡＣＵのＰＳ出力と、発生されたレーザ光のパワーを検出するＦＭＩＣの出力で、端子を共用する。または、ＡＣＵのＰＳ出力と光ディスクの反射光を電気信号に変換するＯＥＩＣの出力で端子を共用する。【選択図】図２
2012094212.tif 000002
【特許請求の範囲】
【請求項１】
発生したレーザ光を光学式記録媒体に照射し、前記レーザ光の前記光学式記録媒体からの反射光を電気信号に変換する光ピックアップであって、
前記レーザ光を発生するレーザ光源と、
該レーザ光源を平行光にするコリメートレンズと、
該コリメートレンズを可動させる機構部と該機構部が所定の初期位置に有るか否かを検出して検出信号を出力する位置センサを備えたＡＣＵと、
前記コリメートレンズからの光を前記光学式記録媒体に照射する対物レンズと、
該対物レンズを介して照射された前記レーザ光の反射光を、前記対物レンズと前記コリメートレンズを介して受光し前記光学式記録媒体に記録された情報データの電気信号に変換して出力する光電変換器（ＯＥＩＣ）と、
前記レーザ光源が発生するレーザ光のパワーを検出して検出信号を出力するレーザ光センサと、
前記ＡＣＵの位置センサが出力する検出信号と前記レーザ光センサが出力する検出信号が信号ラインを共用して出力される端子
を有することを特徴とする光ピックアップ。
【請求項２】
発生したレーザ光を光学式記録媒体に照射し、前記レーザ光の前記光学式記録媒体からの反射光を電気信号に変換する光ピックアップであって、
前記レーザ光を発生するレーザ光源と、
該レーザ光源を平行光にするコリメートレンズと、
該コリメートレンズを可動させる機構部と該機構部が所定の初期位置に有るか否かを検出して検出信号を出力する位置センサを備えたＡＣＵと、
前記コリメートレンズからの光を前記光学式記録媒体に照射する対物レンズと、
該対物レンズを介して照射された前記レーザ光の反射光を、前記対物レンズと前記コリメートレンズを介して受光し前記光学式記録媒体に記録された情報データの電気信号に変換して出力する光電変換器（ＯＥＩＣ）と、
前記レーザ光源が発生するレーザ光のパワーを検出して検出信号を出力するレーザ光センサと、
前記ＡＣＵの位置センサが出力する検出信号と前記光電変換器が出力する情報データの電気信号が信号ラインを共用して出力される端子
を有することを特徴とする光ピックアップ。
【請求項３】
請求項１または請求項２に記載の光ピックアップにおいて、前記レーザ光源は互いに波長の異なる複数のレーザ光を選択して発生することを特徴とする光ピックアップ。
【発明の詳細な説明】
【技術分野】
【０００１】
本発明は光ピックアップに係り、特に電気接点の端子数を低減した光ピックアップに関するものである。
【背景技術】
【０００２】
光ディスク装置の分野においては、従来のＣＤ（Compact Disc）やＤＶＤ（Digital Versatile Disc）のほかに、いっそう記録容量を高めたＢＤ（Blu-ray Disc）を記録媒体とする装置が増えている。このため、レーザ光を用いて記録媒体に情報データを書込み、また記録媒体から情報データを読取るための光ピックアップにおいても、これら全ての記録媒体に対して機能できる光ピックアップが開発されている。このピックアップは、記録媒体に応じて波長が異なるＣＤレーザ光とDVDレーザ光とBDレーザ光のどれか1つを発光させて処理することが求められる。
特許文献１においては、光ピックアップを搭載した光ディスク装置の構成例が開示されている。
【先行技術文献】
【特許文献】
【０００３】
【特許文献１】特開２００３−３１７２８０号公報
【発明の概要】
【発明が解決しようとする課題】
【０００４】
光ピックアップにおいて、前記したような事情で三つのレーザ光を用いる場合に考慮すべき事項の一つに、光ピックアップとこれを搭載した光ディスク装置との間で電源や信号を授受するための電気接点の端子数がある。ＣＤレーザ光とＤＶＤレーザ光の赤系レーザ光のみの光ピックアップに比べて、赤系／青系双方のレーザ光を用いる光ピックアップは内蔵する構成要素が増大するに伴い、電気接点の端子数も増大し易い。光ピックアップにおいて、多くの端子数を要するとなれば、装置の小型化や薄型化の要求に応えられないことは勿論のこと、他の周辺部分にも変更が必要となるために、部品の種類が増大して管理上の問題が発生し、装置の高価格化にもつながるという問題がある。
本発明の目的は前記した問題に鑑み、電気接点の端子数を低減した光ピックアップを提供することにある。
【課題を解決するための手段】
【０００５】
前記課題を解決するため本発明は、発生したレーザ光を光学式記録媒体に照射し、前記レーザ光の前記光学式記録媒体からの反射光を電気信号に変換する光ピックアップであって、
前記レーザ光を発生するレーザ光源と、該レーザ光源を平行光にするコリメートレンズと、該コリメートレンズを可動させる機構部と該機構部が所定の初期位置に有るか否かを検出して検出信号を出力する位置センサを備えたＡＣＵ（Auto Collimator Lens Driver Unit）と、前記コリメートレンズからの光を前記光学式記録媒体に照射する対物レンズと、該対物レンズを介して照射された前記レーザ光の反射光を、前記対物レンズと前記コリメートレンズを介して受光し前記光学式記録媒体に記録された情報データの電気信号に変換して出力する光電変換器（ＯＥＩＣ：Optical Electronic Integrated Circuit）と、前記レーザ光源が発生するレーザ光のパワーを検出して検出信号を出力するレーザ光センサと、前記ＡＣＵの位置センサが出力する検出信号と前記レーザ光センサが出力する検出信号が信号ラインを共用して出力される端子を有することを特徴としている。
【０００６】
また本発明は、発生したレーザ光を光学式記録媒体に照射し、前記レーザ光の前記光学式記録媒体からの反射光を電気信号に変換する光ピックアップであって、
前記レーザ光を発生するレーザ光源と、該レーザ光源を平行光にするコリメートレンズと、該コリメートレンズを可動させる機構部と該機構部が所定の初期位置に有るか否かを検出して検出信号を出力する位置センサを備えたＡＣＵ（Auto Collimator Lens Driver Unit）と、前記コリメートレンズからの光を前記光学式記録媒体に照射する対物レンズと、該対物レンズを介して照射された前記レーザ光の反射光を、前記対物レンズと前記コリメートレンズを介して受光し前記光学式記録媒体に記録された情報データの電気信号に変換して出力する光電変換器（ＯＥＩＣ：Optical Electronic Integrated Circuit）と、前記レーザ光源が発生するレーザ光のパワーを検出して検出信号を出力するレーザ光センサと、前記ＡＣＵの位置センサが出力する検出信号と前記光電変換器が出力する情報データの電気信号が信号ラインを共用して出力される端子を有することを特徴としている。
【発明の効果】
【０００７】
本発明によれば、電気接点の端子数を低減した光ピックアップを提供でき、製造者やユーザに対して好ましい光ディスク装置を実現するために寄与できるという効果がある。
【図面の簡単な説明】
【０００８】
【図１】一実施例における光ピックアップを搭載した光ディスク装置のブロック図である。
【図２】一実施例における光ピックアップのブロック図である。
【図３】従来のフォトセンサ周辺を示す回路図である。
【図４】一実施例におけるフォトセンサ周辺を示す回路図である。
【図５】一実施例における光ピックアップの別なブロック図である。
【発明を実施するための形態】
【０００９】
以下、本発明の実施例につき図面を用いて説明する。
図１は、一実施例における光ピックアップ３を搭載した光ディスク装置のブロック図である。記録媒体である光ディスク１は、ＣＤ、ＤＶＤ、ＢＤのいずれであっても良い。もちろん、ＢＤ−ＲやＤＶＤ−Ｒをはじめとする一回のみ記録が可能な追記型、ＢＤ−ＲＥやＤＶＤ−ＲＡＭをはじめとする書換え型のいずれを用いても良い。装着された光ディスク１は、ディスクモータ２により所定の回転速度（例えば、データを記録再生する位置において所定の線速度となる回転速度）で回転駆動される。そのためのディスクモータ制御信号は、ＤＳＰ（Digital Signal Processor）６が含むサーボ部６Ｂで生成されてディスクモータ２に供給される。なお、サーボ部６Ｂが前記ディスクモータ制御信号を生成するために、回転数検出回路２Ａが設けられており、回転数検出回路２Ａが発生するディスクモータ２の回転数を示す信号がＤＳＰ６に供給されている。
【００１０】
次に信号回路部の動作について説明する。まずデータ記録時は、図示しない外部の上位装置からインタフェース（以下、ＩＦと略記する）６Ｃを介して、記録信号処理部５Ａに記録データが供給される。記録信号処理部５Ａは、所定量のデータを一つのエラー訂正ブロックとしてエラー訂正符号を付加し、また符号の発生確率に応じた符号化のための変調処理などを行って記録信号を生成する。生成された記録信号は、光ピックアップ３に供給され、光ピックアップ３は供給された記録信号に応じてレーザ光を発生する。該レーザ光は対物レンズ３０１を介して光ディスク１の記録トラックに照射され、該記録トラックに前記信号が記録される。
【００１１】
なお、図１では光ピックアップ３の内部の構成要素として、対物レンズ３０１のみを示したが、より詳しい構成については後記する。
光ピックアップ３は、スレッド機構に搭載されており、スレッドモータ４の回転に伴い、光ディスク１の半径方向に移動して所定のトラック位置においてデータの記録再生を行う。このためのスレッドモータ制御信号は、サーボ部６Ｂで生成されてスレッドモータ４に供給される。また、後記するように光ピックアップ３は、光ピックアップ３が光ディスク１上の半径方向における所定の初期位置にあるか否かを示す制御信号を生成し、サーボ部６Ｂに供給する。これにより、例えば電源投入時に、サーボ部６Ｂは光ピックアップ３が前記した所定の初期位置に位置するよう制御を行う。
【００１２】
また、対物レンズ３０１は電磁力を用いたトラッキングアクチュエータとフォーカスアクチュエータ（図１では図示せず）に搭載されている。トラッキングアクチュエータには、サーボ部６Ｂで生成されたトラッキングアクチュエータ制御信号が供給され、これに基づき対物レンズ３０１は、レーザ光束が光ディスク１の所定の記録トラック上を正しくトレースするよう、光ディスク１に対する半径方向（トラッキング方向）の位置を微調整される。また、フォーカスアクチュエータには、サーボ部６Ｂで生成されたフォーカスアクチュエータ制御信号が供給され、これに基づき対物レンズ３０１は、レーザ光束が光ディスク１の所定の記録トラック上に正しくフォーカスするよう、光ディスク１に対する垂直方向（フォーカス方向）の位置を微調整される。
【００１３】
また、後記するように光ピックアップ３は、光ピックアップ３が発生するレーザ光のパワーを検出するためのフロントモニタＩＣ（以下、ＦＭＩＣと略記することがある）を有している。ＦＭＩＣで検出されたレーザ光のパワー値がサーボ部６Ｂに供給され、サーボ部６Ｂは、レーザ光のパワーが光源のばらつきや温度特性によらず、常に所定値となるように光ピックアップ３を制御する。
【００１４】
次にデータ再生時の動作を説明する。
光ピックアップ３が含むＯＥＩＣ（図１では図示せず）は、前記レーザ光束の光ディスク１からの反射光を検出し、光ディスク１に記録されていたデータ信号を検出して電気信号に変換する。検出されたデータ信号は再生信号処理部５Ｂに供給される。再生信号処理部５Ｂは、前記データ信号を演算処理して、例えばトラッキング制御用のＤＰＤ（Differential Phase Detecting）信号とＤＰＰ（Differential Push-Pull）、フォーカス制御用のＤＡＤ（Differential Astigmatism Detection）信号を生成し、ＤＳＰ６が含むサーボ部６Ｂに供給する。サーボ部６Ｂは、供給されたＤＰＤ信号、ＤＰＰ信号、ＤＡＤ信号に基づきトラッキング用とフォーカス用のサーボ信号、即ち先のトラッキングアクチュエータ制御信号とフォーカスアクチュエータ制御信号を生成して光ピックアップ３に供給し、前記したトラッキング動作とフォーカス動作を制御する。
【００１５】
また再生信号処理部５Ｂは、光ディスク１に対してデータを記録再生した際の振幅や位相の周波数特性を等化したうえで、等化されたデータをＤＳＰ６が含むデコーダ部６Ａに供給する。デコーダ部６Ａは、光ディスク１に記録されていたデータ信号の再生処理を行う。例えば、光ディスク１に記録する以前に情報信号に施されたデータ圧縮処理とは逆の伸張処理を行い、元の情報信号をデコードする。なお、先の記録信号処理部５Ａと再生信号処理部５Ｂは、同じ半導体チップ上に集積されることがある。また、これらはＤＳＰ６と同じ半導体チップ上に集積されることがある。また、ＤＳＰ６は、デコーダ部６Ａと概略逆の動作を行うエンコーダ部を有していても良い。例えば、データ圧縮を施されていないデータが記録データとしてＩＦ６Ｃに供給される場合は、このエンコーダ部でデータ圧縮を行ったうえで光ディスク１に記録すると良い。
【００１６】
以上述べた光ディスク装置の動作は、例えばマイクロコンピュータを含む制御部７が生成する制御信号に基づいて行われる。なお、制御部７もＤＳＰ６と同じ半導体チップ上に集積されることがある。
また、例えばユーザからの動作指令などは、図示しない上位装置からＩＦ６Ｃを介して制御部７へ供給される。
【００１７】
次に光ピックアップ３について、より詳しく説明する。
図２は、一実施例における光ピックアップ３のブロック図である。図中では、レーザ光の光路が近接した実線と破線と点線で表わされている。それぞれの線はＣＤレーザ光の光路とＤＶＤレーザ光の光路とＢＤレーザ光の光路を示す。即ち、図２は三波長型の光ピックアップを示している。対物レンズ３０１の機能は先に図１を用いて述べたとおりである。端子３１１には、先の図１では光ピックアップ３の下部に示した信号ラインが接続されている。ここでは本実施例の説明に用いる信号ラインのみを記載しているが、実際には電源、グランド、制御信号を含め多くのラインが接続されており、端子３１１は例えば４５ピンのピン数を有している。
【００１８】
フォーカスアクチュエータ３０２Ａには、端子３１１よりサーボ部６Ｂで生成されたフォーカスアクチュエータ制御信号が供給され、これに基づき対物レンズ３０１は、レーザ光束が光ディスク１（図２では図示せず）の所定の記録トラック上に正しくフォーカスするよう、光ディスク１に対する垂直方向（フォーカス方向）の位置を微調整される。トラッキングアクチュエータ３０２Bには、端子３１１よりサーボ部６Ｂで生成されたトラッキングアクチュエータ制御信号が供給され、これに基づき対物レンズ３０１は、レーザ光束が光ディスク１の所定の記録トラック上を正しくトレースするよう、光ディスク１に対する半径方向（トラッキング方向）の位置を微調整される。図中で対物レンズ３０１の周辺にある双方向の矢印は、各アクチュエータ３０２Ａ、３０２Ｂで駆動される対物レンズ３０１の概略の移動方向を示している。
【００１９】
また、端子３１１よりＬＤＤ（Laser Diode Driver）３０３に前記した記録信号が供給される。ＬＤＤ３０３は、供給された記録信号を電力増幅してＬＤ（Laser Diode）３０４に与える。ＬＤ３０４は、光ディスク１の種類に応じて内蔵するＣＤレーザ光源かＤＶＤレーザ光源かＢＤレーザ光源を発光させ、発生したレーザ光をビームスプリッタ３０７へ送る。本実施例では同じハウジング内に三つのレーザ光源を有する場合を示しているが、前記したようにＣＤレーザとＤＶＤレーザとＢＤレーザの光源を別個に有していても良い。
【００２０】
ビームスプリッタ３０７へ送られたレーザ光は、ビームスプリッタ３０７の反射面でコリメートレンズ３０６に向けて反射される。コリメートレンズ３０７でレーザ光は、発散光から平行光とされ、その後は対物レンズ３０１まで光軸に対して略平行に進行する。コリメートレンズ３０１を通過したレーザ光は、全反射ミラー（立上げミラー）３０５で全反射されて進行方向を変更され、対物レンズ３０１に供給される。対物レンズ３０１を通過したレーザ光は、光ディスク１の記録トラック上に焦点を結び、記録信号を記録トラック上に書込む。
【００２１】
光ディスク１から反射されたレーザ光は、対物レンズ３０１で集光され、全反射ミラー３０５で反射され、さらにコリメートレンズ３０６とビームスプリッタ３０７を通過してＯＥＩＣ３０８に供給される。ＯＥＩＣ３０８は、前記したように光検出器であって、前記レーザ光を電気信号に変換し、該電気信号は端子３１１から先の再生信号処理部５Ｂに供給される。
【００２２】
記憶容量を高めたＢＤ記録媒体に情報データを書込む場合や情報データを読み出す場合は、ＡＣＵ（Auto Collimator Lens Drive Unit）３０９の機構部３０９Ａが端子３１１からの制御信号に従いコリメートレンズ３０６を移動させてＢＤレーザ光の品質（収差）を補正する。ＰＳ（フォトセンサ）３０９Bは、位置センサであって、コリメートレンズ３０６が所定の初期位置に有るか否かを検出して検出信号を出力する。例えば電源投入時や装置がリセットされた際には、コリメートレンズ３０６を所定の初期位置にするよう制御を行う。
ＦＭＩＣ（Front Monitor Integrated Circuit）３１０は、レーザ光センサであって、光ピックアップ３が発生するレーザ光のパワーを検出する。ＦＭＩＣ３１０で検出されたレ
ーザ光のパワー値がサーボ部６Ｂに供給され、サーボ部６Ｂは、レーザ光のパワーが光源のばらつきや温度特性によらず、常に所定値となるようにＬＤＤ３０３を制御する。ここではＦＭＩＣ３１０は、ＬＤ３０４が発生したレーザ光のうち、ビームスプリッタ３０７の反射面から漏れて通過したレーザ光を用いて光のパワーを検出する位置に配置されているが、これは一例であり他の配置方法もある。例えば、ＬＤ３０４の斜め正面に配置して、ＬＤ３０４が発生したレーザ光の一部を直接受光して光のパワーを検出しても良い。
【００２３】
図２の実施例における特徴の一つは、ＰＳ３０９Ｂの出力とＦＭＩＣ３１０の出力が信号ラインを共用し、同じ端子から出力されていることにある。この件に関し、図３と図４を用いて説明する。図３の端子３１１Ｚと図４の端子３１１は、図２の端子３１１に相当する構成要素であるが、電源とグランドの端子が追加され、ＰＳ３０９Ａの出力とＦＭＩＣ３１０の出力以外の信号は、記載を省略されている。
【００２４】
図３は、従来のフォトセンサ（ＡＣＵのＰＳ）３０９Ｂの周辺を示す回路図である。ＰＳ３０９Ｂは、発光ダイオードとフォトトランジスタによる光検出器３０９１を含む。光検出器３０９１においては、図中の発光ダイオードが発生した光がフォトトランジスタに供給されるか否かによって、フォトトランジスタにおけるコレクタとエミッタの間のインピーダンスが変化する。光ディスク装置は、光ピックアップ３が前記した所定の初期位置に位置する際に、例えば発光ダイオードとフォトトランジスタの間を遮る遮光板を有する。これにより、従来の端子３１１ＺのＰＳ出力端子には、光ピックアップ３が前記した所定の初期位置に位置するか否かを示す制御信号が供給される。なお、図中の抵抗Ｒ１とＲ２は数十ｋオーム程度の高い抵抗値を有している。
従来は、図３で示すようにＦＭＩＣ（Front Monitor Integrated Circuit）３１０によるレーザ光のパワーの検出信号は、ＰＳ出力端子とは別の端子であるＦＭ出力端子に供給されていた。
【００２５】
ところで、図３のＰＳ出力端子に出力される信号は、前記したように電源投入時か装置がリセットされた時に必要となるものの、例えばデータの記録再生を行う際には使用しない。後者の場合、ＰＳ出力端子のインピーダンスはほぼ抵抗Ｒ１で決まっており、高いインピーダンスである。
一方、図３のＦＭ出力端子に出力される信号は、電源投入時や装置がリセットされた時には使用しない。また、例えばＦＭＩＣ３１０の出力をオープンコレクタ（ドレイン）で出力すれば、使用しない時の出力インピーダンスを高くすることは容易である。
【００２６】
図４は、一実施例におけるフォトセンサ周辺を示す回路図であり、先に説明した図２の実施形態に対応している。ＰＳ３０９Ｂの出力と、ＦＭＩＣ３１０の出力が同時に使用されることはなく、また使用していない時の出力インピーダンスを高く設定できることに注目し、端子３１１において双方を同じ信号ラインと端子を共用して出力することを特徴としている。これにより、電気接点の端子数を低減した光ピックアップを提供できる。また、三波長レーザを用いた光ピックアップにおいては従来と比較し、その端子数を増加させないように機能するため、従来の部品が使用でき、装置の高価格化を解消できる効果がある。
【００２７】
図５は、一実施例における光ピックアップの別なブロック図である。先に、ＦＭＩＣ３１０の出力信号は、電源投入時や装置がリセットされた時には使用しないとしたが、ＯＥＩＣ３０８の出力信号も同様である。そこで図５においては図２と異なり、ＯＥＩＣ３０８とＰＳ３０９Ｂで、信号ラインと端子３１１を共用した例を示している。この実施形態も図２と同様の効果を有している。
【００２８】
ここまで示した実施形態は一例であって、本発明を限定するものではない。例えば、図２や図５で示した光ピックアップ３のブロック図は一例であり、本発明はこれらの構成の光ピックアップに限定されるものではない。また、本発明の光ピックアップを適用する光ディスク装置はデータの記録機能を有さず、再生機能のみを有していても良い。以上述べた実施例のほかにも、本発明の趣旨に基づきながら異なる実施形態を考えられるが、いずれも本発明の範疇にある。
【符号の説明】
【００２９】
１：光ディスク、２：ディスクモータ、３：光ピックアップ、４：スレッドモータ、６：ＤＳＰ、７：制御部、３０１：対物レンズ、３０３：ＬＤＤ、３０４：ＬＤ、３０５：全反射ミラー、３０６：コリメートレンズ、３０７：ビームスプリッタ、３０８：ＯＥＩＣ、３０９：ＡＣＵ、３０９Ａ：（ＡＣＵの）機構部、３０９Ｂ：（ＡＣＵの）ＰＳ、３１０ＦＭＩＣ、３１１：端子。
【図１】
2012094212.tif 000003
【図２】
2012094212.tif 000004
【図３】
2012094212.tif 000005
【図４】
2012094212.tif 000006
【図５】
2012094212.tif 000007